(57)【要約】【課題】液体容器に設けた片開き蓋の開閉操作部材をロックするロック操作部材の摺動部分が損耗しても不意に片開き蓋が開き難くする。【解決手段】ロック操作部材１０を、下側に向けて摺動させることによりロック解除位置からロック位置へ変位させるように設けた。ロック操作部材１０の摺動部分が損耗しても、携帯中の上下方向の揺れや、テーブル上に置かれた衝撃でロック解除位置へ変位し難くなる。【選択図】図１
2008125965.tif 000002
【特許請求の範囲】
【請求項１】
容器にヒンジを介して支持された片開き蓋と、前記容器に支持された開閉操作部材とを有し、前記開閉操作部材に、前記片開き蓋を閉じ位置に係止する掛け部を設け、前記開閉操作部材を押し込んで前記掛け部を前記片開き蓋から外せるようにし、その開閉操作部材に、容器側と接触して押し込みを規制するロック位置とその規制が外れて押し込み可能となるロック解除位置との間を摺動するロック操作部材を取り付けた液体容器において、前記ロック操作部材を、水平又は下側に向けて摺動させることによりロック解除位置からロック位置へ変位させるように設けたことを特徴とする液体容器。
【発明の詳細な説明】
【技術分野】
【０００１】
この発明は、液体容器に関する。
【背景技術】
【０００２】
従来から、容器にヒンジを介して支持された片開き蓋と、容器に揺動軸で支持された開閉操作部材とを有し、開閉操作部材に、片開き蓋を閉じ位置に係止する掛け部が設けられており、開閉操作部材を押し込んで掛け部を片開き蓋から外せるようになった液体容器がある。
【０００３】
例えば、開閉操作部材が携帯中に不意に押し込まれて片開き蓋が開くと、容器の注ぎ口が開いて漏水が生じる。このため、開閉操作部材に、容器側と接触して開閉操作の押し込みを規制するロック位置とその規制が外れて押し込み可能となるロック解除位置との間を摺動するロック操作部材を取り付けた液体容器がある（特許文献１）。
【０００４】
【特許文献１】特開２００６−１５８７２９号公報
【発明の開示】
【発明が解決しようとする課題】
【０００５】
しかしながら、前掲の特許文献１の液体容器は、ロック操作部材を下側に摺動させることによりロック位置からロック解除位置へ変位させるように設けられている。このため、ロック操作部材の摺動部分が損耗すると、ロック操作部材が簡単にロック解除位置へ変位させるようになり、携帯中の上下方向の揺れや、テーブル上に置かれた衝撃で不意に片開き蓋が開いてしまう恐れがある。
【０００６】
そこで、この発明の課題は、液体容器に設けた片開き蓋の開閉操作部材をロックするロック操作部材の摺動部分が損耗しても不意に片開き蓋が開き難くすることである。
【課題を解決するための手段】
【０００７】
上記の課題を達成するため、この発明は、容器にヒンジを介して支持された片開き蓋と、前記容器に支持された開閉操作部材とを有し、前記開閉操作部材に、前記片開き蓋を閉じ位置に係止する掛け部を設け、前記開閉操作部材を押し込んで前記掛け部を前記片開き蓋から外せるようにし、その開閉操作部材に、容器側と接触して押し込みを規制するロック位置とその規制が外れて押し込み可能となるロック解除位置との間を摺動するロック操作部材を取り付けた液体容器において、前記ロック操作部材を、水平又は下側に向けて摺動させることによりロック解除位置からロック位置へ変位させるように設けたことを特徴とするものである。
【０００８】
この発明の構成によれば、ロック操作部材は、水平又は下側に向けて摺動させることによりロック解除位置からロック位置へ変位させるため、ロック操作部材の摺動部分が損耗しても、携帯中の上下方向の揺れや、テーブル上に置かれた衝撃でロック解除位置へ変位し難くなる。
特に、ロック操作部材を下側に向けて摺動させることによりロック解除位置からロック位置へ変位させる構成を採用した場合、損耗してもロック位置へ変位し易くなるだけであり、不意の蓋開きをより起き難くすることができる。
【発明の効果】
【０００９】
上述のように、この発明は、液体容器に設けた片開き蓋の開閉操作部材をロックするロック操作部材の摺動部分が損耗しても不意に片開き蓋が開き難くすることができる。
【発明を実施するための最良の形態】
【００１０】
以下、この発明の第１実施形態に係る液体容器を添付図面に基づいて説明する。
図１から図３に示すように、第１実施形態に係る液体容器は、容器にヒンジ２を介して支持された片開き蓋３と、容器１に揺動軸４で支持された開閉操作部材５とを有している。
【００１１】
片開き蓋３は、容器１の注ぎ口６に被さって容器上端部と閉じ合うようになっており、その内側には、注ぎ口６をシールするパッキン７が設けられている。
【００１２】
開閉操作部材５は、水平な揺動軸４で容器１の外周壁８に支持されている。開閉操作部材５の上端側に、片開き蓋３を閉じ位置に係止する掛け部５ａが設けられている。片開き蓋３の回転先端部が掛け部５ａの上端に接触すると、開閉操作部材５の上端側は手前側に押されて倒れる。開閉操作部材５と容器１の間に、開閉操作部材５の上端側を常時閉じ位置側に向けて付勢するばね９が組み込まれている。このばね付勢により、片開き蓋３の回転先端部が掛け部５ａの上端を通過すると、掛け部５ａが片開き蓋３の係合凹部３ａに掛かり、片開き蓋３が閉じ位置に係止される。ばね付勢に抗して開閉操作部材５の下端側を押し込むと、開閉操作部材５の上端側が手前側に倒れるため、掛け部５ａを係合凹部３ａから外すことができる。
【００１３】
なお、開閉操作部材５の上端側に、手前側に倒れる勢いで片開き蓋３を蹴り上げるように脚部５ｂが設けられている。
【００１４】
また、容器１の外周壁８に、開閉操作部材５の両側を覆うガード部８ａが形成されており、開閉操作部材５が不意に他のものと接触することが防止されている。
【００１５】
さらに、開閉操作部材５に、容器１側と接触して押し込みを規制するロック位置と、その規制が外れて押し込み可能となるロック解除位置との間を摺動するロック操作部材１０が取り付けられている。
【００１６】
ロック操作部材１０は、図４、図５に示すように、その内面側に、開閉操作部材５の下端側の両側端部を挟むアーム１１、１１が一対で形成されており、開閉操作部材５の下端から嵌め込み、開閉操作部材５に対して上下にスライド移動させられるようになっている。
【００１７】
ロック操作部材１０は、図１、図６（ｂ）に示すように、ロック位置において、開閉操作部材５の下端より下方に突出しており、開閉操作部材５の下端側が押し込まれても、容器１の外周壁８に接触して開閉操作部材５の上端側の倒れが掛り部５ａの外れが生じない範囲に規制するようになっている。また、図３、図６（ａ）に示すように、ロック操作部材１０は、ロック解除位置において、開閉操作部材５の下端より下方に突出せず、開閉操作部材５の下端側が押し込まれても、容器の外周壁に接触することがなく、前記の規制が外れるようになっている。この状態のまま開閉操作部材５を押し込むと、片開き蓋３が開放される。
【００１８】
ここで、図６に示すように、アーム１１、１１の先端部は、開閉操作部材５の内面側中間部に形成されたガイド部５ｃ、５ｃの側面を摺動するように突出している。各ガイド部５ｃの側面は、アーム１１側に膨出する抵抗部５ｄを有している。抵抗部５ｄは、ロック操作部材１０がロック解除位置からロック位置へ変位させる間にアーム１１の先端部が通過するようになっている。このため、ロック操作部材１０を下側に向けてスライドさせる間にクリック感をユーザに与えられる。また、ロック操作部材１０がロック解除位置からロック位置へ簡単に摺り落ちることが防止されている。
【００１９】
この第１実施形態は、上記の構成を有するものであり、ロック操作部材１０を下側に向けてスライドさせることによりロック解除位置からロック位置へ変位させるため、開閉操作部材５の下端側の両側端部や抵抗部５ｄ、ロック操作部材１０のアーム１１（特に先端部）といった摺動部分が損耗しても、ロック操作部材１０がロック位置へ変位し易くなるだけであり、不意の蓋開きを従来例より起き難くすることができる。
【００２０】
なお、この第１実施形態のように、ロック操作部材１０を下側に向けてスライドさせることによりロック解除位置からロック位置へ変位させる構成によれば、容器１の胴部を把持した状態で、従来例よりもロック操作部材１０の位置が指先に近くなり、操作性が向上する利点もある。
【００２１】
この発明の第２実施形態を図７に基づいて説明する。なお、以下においては、第１実施形態との相違点のみを述べ、同一に考えられる構成に同符号を用いる。
図７に示すように、この第２実施形態は、開閉操作部材２０の下端側に回転可能に設けられたロック操作部材２１を有する点で相違する。ロック操作部材２１の回転軸２２は、ロック位置にある状態で水平になっており、開閉操作部材２０の内周２３を摺動するようになっている。
【００２２】
容器は、ロック操作部材２１の周壁に突出する係止部２４と対向する円弧状の規制壁部２５を有している。ロック操作部材２１の係止部２４が規制壁部２５上に位置するロック位置において、開閉操作部材２０の押し込みが規制される。規制壁部２５の上端に、規制壁部２５より低くい切欠き２６が連なっている。切欠き２６は、開閉操作部材２０の揺動軸２７と平行な向きになっており、ロック操作部材２１の係止部２４が切欠き２６上に位置するロック解除位置において、前記の規制が外れる。
【００２３】
この第２実施形態においては、切欠き２６が揺動軸２７と平行な向き、すなわち、水平なので、ロック操作部材２１を下側に回転させることによりロック位置に変位させることになる。このため、開閉操作部材２０の内周２３やロック操作部材２１の回転軸２２といった摺動部分が損耗しても、ロック操作部材２１がロック位置へ変位し易くなるだけである。
【００２４】
この発明の第３実施形態を図８に基づいて説明する。
この第３実施形態は、開閉操作部材３０の下端側にロック操作部材３１が上下方軸回りに回転可能に設けられている点で相違する。ロック操作部材３１の回転軸３２は、開閉操作部材３０の内周部を摺動するようになっている。ロック操作部材３１は、その長さ方向が揺動軸３３と平行な向きの状態で容器側の規制壁部３４と対するロック位置にあり、手前に回転させられて起こされると、逃げ部３５が規制壁部３４と対するロック解除位置にあるようになっている。
【００２５】
この第３実施形態においては、ロック操作部材３１が上下軸回りに回転させられるので、ロック操作部材３１を開閉操作部材３０の内周に対して水平に摺動回転させることによりロック解除位置からロック位置へ変位させることになる。このため、開閉操作部材３０の内周やロック操作部材３１の回転軸３２といった摺動部分が損耗しても、ロック操作部材３１は、従来のものと比して、携帯中の上下方向の揺れや、テーブル上に置かれた衝撃でロック解除位置へ変位し難くなる。
【００２６】
この発明の第４実施形態を図９に基づいて説明する。
この第４実施形態は、開閉操作部材４０の下端側にロック操作部材４１が水平軸回りに回転可能に設けられている点で相違する。ロック操作部材４１の回転軸４２は、開閉操作部材４０の内周を摺動するようになっている。ロック操作部材４１は、内側に突出する規制壁部４３を有しており、この規制壁部４３が容器の外周壁４４に接触して規制状態となるロック位置と、手前に回転させられて規制壁部４３が寝ることにより外周壁４４の前方から外れるロック解除位置に変位させるようになっている。
【００２７】
この第４実施形態においては、ロック操作部材４１は、水平軸回りに下側に回転させることによりロック解除位置からロック位置へ変位させる。このため、開閉操作部材４０の内周やロック操作部材４１の回転軸４２といった摺動部分が損耗しても、ロック操作部材４１がロック位置へ変位し易くなるだけである。
【００２８】
この発明の第５実施形態を図１０に基づいて説明する。
この第５実施形態は、開閉操作部材５０がレバー式でなく、プッシュボタン式になっており、ロック操作部材５１が容器側のガード部５２に水平軸５３で独立に支持されている点で相違する。ロック操作部材５１の水平軸５３は、上端側において上下方向の長穴に通されている。ロック操作部材５１が寝ている状態で、その下端が容器側の外周壁５４に対するロック位置にあり、開閉操作部材５０の押し込みが規制される。ロック操作部材５１が手前に起こされた状態で、ロック操作部材５１の下端が開閉操作部材５０の前方領域内に位置するロック解除位置にある。ロック操作部材５１の上端部は、回転時に開閉操作部材の前面に押し付けられる回転抵抗部５５になっている。
【００２９】
この第５実施形態においても、ロック操作部材５１は、水平軸回りに下側に回転させることによりロック解除位置からロック位置へ変位させる。このため、開閉操作部材５０の前面やロック操作部材５１の回転抵抗部５５といった摺動部分が損耗しても、ロック操作部材５１がロック位置へ変位し易くなるだけである。
【図面の簡単な説明】
【００３０】
【図１】第１実施形態の片開き蓋が閉じた状態を示す部分拡大縦断側面図
【図２】ａは第１実施形態の片開き蓋が閉じた状態を示す斜視図、ｂは片開き蓋が開いた状態を示す斜視図
【図３】第１実施形態の片開き蓋が開いた状態を示す部分拡大縦断側面図
【図４】第１実施形態の開閉操作部材の分解斜視図
【図５】ａは図４の開閉操作部材の側面図、ｂは図４の開閉操作部材の後面図、ｃは図４のロック操作部材の側面図、ｄは図４のロック操作部材の後面図
【図６】ａは図４のロック操作部材がロック解除位置にある状態における開閉操作部材の後面図、ｂは図４のロック操作部材がロック位置にある状態における開閉操作部材の後面図
【図７】ａは第２実施形態の開閉操作部材がロックされた状態の斜視図、ｂは第２実施形態のロック操作部材がロック位置にある状態における開閉操作部材の縦断側面図、ｃは第２実施形態のロック操作部材がロック解除位置にある状態における開閉操作部材の縦断側面図
【図８】ａは第３実施形態の開閉操作部材がロックされた状態の斜視図、ｂは第３実施形態のロック操作部材がロック位置にある状態における開閉操作部材の縦断側面図、ｃは第３実施形態のロック操作部材がロック解除位置にある状態における開閉操作部材の縦断側面図、ｄは第３実施形態のロック操作部材の作用図
【図９】ａは第４実施形態の開閉操作部材がロックされた状態の斜視図、ｂは第４実施形態のロック操作部材がロック位置にある状態における開閉操作部材の縦断側面図、ｃは第４実施形態のロック操作部材がロック解除位置にある状態における開閉操作部材の縦断側面図
【図１０】ａは第５実施形態の開閉操作部材がロックされた状態の斜視図、ｂは第５実施形態の開閉操作部材のロックが解除された状態の斜視図、ｃは第５実施形態のロック操作部材がロック位置にある状態における開閉操作部材の縦断側面図、ｄは第５実施形態のロック操作部材がロック解除位置にある状態における開閉操作部材の縦断側面図
【符号の説明】
【００３１】
１  容器
２  ヒンジ
３  片開き蓋
３ａ  係合凹部
４  揺動軸
５、２０、３０、４０、５０  開閉操作部材
５ａ  掛け部
５ｂ  脚部
５ｃ  ガイド部
５ｄ  抵抗部
６  注ぎ口
７  パッキン
８、４４、５４  外周壁
８ａ、５２  ガード部
９  ばね
１０、２１、３１、４１、５１  ロック操作部材
１１  アーム
２２、３２、４２  回転軸
２３  内周
２４  係止部
２５、３４、４３  規制壁部
２６  切欠き
２７、３３  揺動軸
３５  逃げ部
５３  水平軸
５５  回転抵抗部
【図１】
2008125965.tif 000003
【図２】
2008125965.tif 000004
【図３】
2008125965.tif 000005
【図４】
2008125965.tif 000006
【図５】
2008125965.tif 000007
【図６】
2008125965.tif 000008
【図７】
2008125965.tif 000009
【図８】
2008125965.tif 000010
【図９】
2008125965.tif 000011
【図１０】
2008125965.tif 000012